【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
睡眠セッション中に被験者に送達される感覚刺激のタイミングを決定するよう構成されたシステムであって、前記感覚刺激は、前記睡眠セッション中に被験者における徐波活動を増し、覚醒を最小化するよう構成され、当該システムは：
被験者に感覚刺激を与えるよう構成された一つまたは複数の感覚刺激器と；
被験者の脳活動に関係した情報を伝達する出力信号を生成するよう構成された一つまたは複数のセンサーと；
一つまたは複数の物理的なコンピュータ・プロセッサであって：
前記出力信号およびベースライン睡眠状態基準に基づいて前記睡眠セッション中の被験者の睡眠状態における遷移を検出する段階であって、前記ベースライン睡眠状態基準は、被験者の脳活動に関係した前記情報に基づいて決定された一つまたは複数の対応するパラメータについての一つまたは複数の閾値を含む、段階を実行し；
睡眠状態における検出された遷移に基づくタイミングをもって被験者に前記感覚刺激を与えるよう前記一つまたは複数の感覚刺激器を制御し；
前記睡眠セッション後に、前記睡眠セッション中に生成された前記出力信号の解析に基づいて生成される、睡眠状態における遷移の参照指標を取得し；
睡眠状態における検出された遷移を、睡眠状態における遷移の前記参照指標と比較し；
該比較に基づいて、前記ベースライン睡眠状態基準を使った前記睡眠セッション中の睡眠状態における検出された遷移と、前記睡眠セッション中の睡眠状態における遷移の前記参照指標との間の相関を向上させるよう前記ベースライン睡眠状態基準を調整し；
前記ベースライン睡眠状態基準の調整後、調整されたベースライン睡眠状態基準を利用して、被験者の睡眠状態における遷移を検出し、前記一つまたは複数の感覚刺激器を制御する
ためのコンピュータ可読命令によって構成された物理的なコンピュータ・プロセッサとを有する、
システム。
【請求項２】
前記一つまたは複数の物理的なコンピュータ・プロセッサがさらに、前記ベースライン睡眠状態基準の調整が、前記ベースライン睡眠状態基準を使った前記睡眠セッション中の睡眠状態における検出された遷移と、前記睡眠セッション中の睡眠状態における遷移の前記参照指標との間の相関を向上させたかどうかを示す、被験者における徐波活動に関係した性能メトリックを決定するよう構成されている、請求項１記載のシステム。
【請求項３】
前記一つまたは複数の物理的なコンピュータ・プロセッサが、前記性能メトリックが累積徐波活動であるよう構成されている、請求項２記載のシステム。
【請求項４】
睡眠セッション中に被験者に送達される感覚刺激のタイミングを決定するよう構成されたシステムであって、前記感覚刺激は、前記睡眠セッション中に被験者における徐波活動を増し、覚醒を最小化するよう構成され、当該システムは：
被験者に感覚刺激を与えるよう構成された一つまたは複数の感覚刺激器と；
被験者の脳活動に関係した情報を伝達する出力信号を生成するよう構成された一つまたは複数のセンサーと；
一つまたは複数の物理的なコンピュータ・プロセッサであって：
前記出力信号およびベースライン睡眠状態基準に基づいて前記睡眠セッション中の被験者の睡眠状態における遷移を検出し；
睡眠状態における検出された遷移に基づくタイミングをもって被験者に前記感覚刺激を与えるよう前記一つまたは複数の感覚刺激器を制御し；
前記睡眠セッション後に、前記睡眠セッション中に生成された前記出力信号の解析に基づいて生成される、睡眠状態における遷移の参照指標を取得し；
睡眠状態における検出された遷移を、睡眠状態における遷移の前記参照指標と比較し；
該比較に基づいて、前記ベースライン睡眠状態基準を使った前記睡眠セッション中の睡眠状態における検出された遷移と、前記睡眠セッション中の睡眠状態における遷移の前記参照指標との間の相関を向上させるよう前記ベースライン睡眠状態基準を調整し；
前記ベースライン睡眠状態基準の調整後、調整されたベースライン睡眠状態基準を利用して、被験者の睡眠状態における遷移を検出し、前記一つまたは複数の感覚刺激器を制御し；
前記ベースライン睡眠状態基準の調整が、前記ベースライン睡眠状態基準を使った前記睡眠セッション中の睡眠状態における検出された遷移と、前記睡眠セッション中の睡眠状態における遷移の前記参照指標との間の相関を向上させたかどうかを示す、被験者における徐波活動に関係した性能メトリックを決定するためのコンピュータ可読命令によって構成された物理的なコンピュータ・プロセッサとを有しており、
前記性能メトリックが累積徐波活動であり、前記累積徐波活動が、所定数の睡眠サイクルにわたる個々のN2および／またはN3睡眠段階時期についてのデルタ帯域におけるEEGパワーの総和である、
システム。
【請求項５】
前記一つまたは複数の物理的なコンピュータ・プロセッサが、前記ベースライン睡眠状態基準の調整が、前記累積徐波活動の勾配の経験的推定に基づくよう構成されている、請求項３記載のシステム。
【請求項６】
決定システムにより睡眠セッション中に被験者に送達される感覚刺激のタイミングを決定する方法であって、前記感覚刺激は、前記睡眠セッション中に被験者において徐波活動を増し、覚醒を最小化するよう構成され、前記システムは、一つまたは複数の感覚刺激器、一つまたは複数のセンサーおよび一つまたは複数の物理的なコンピュータ・プロセッサを有し、当該方法は：
前記一つまたは複数のセンサーにより、被験者の脳活動に関係した情報を伝達する出力信号を生成する段階と；
前記一つまたは複数の物理的なコンピュータ・プロセッサにより、前記出力信号およびベースライン睡眠状態基準に基づいて前記睡眠セッション中の被験者の睡眠状態における遷移を検出する段階であって、前記ベースライン睡眠状態基準は、被験者の脳活動に関係した前記情報に基づいて決定された一つまたは複数の対応するパラメータについての一つまたは複数の閾値を含む、段階と；
前記一つまたは複数の物理的なコンピュータ・プロセッサにより、睡眠状態における検出された遷移に基づくタイミングをもって被験者に前記感覚刺激を与えるよう前記一つまたは複数の感覚刺激器を制御する段階と；
前記睡眠セッション後に、前記一つまたは複数の物理的なコンピュータ・プロセッサにより、睡眠状態における遷移の参照指標を取得する段階であって、睡眠状態における遷移の前記参照指標は前記睡眠セッション中に生成された前記出力信号の解析に基づいて生成される、段階と；
前記一つまたは複数の物理的なコンピュータ・プロセッサにより、睡眠状態における検出された遷移を、睡眠状態における遷移の前記参照指標と比較する段階と；
該比較に基づいて、前記一つまたは複数の物理的なコンピュータ・プロセッサにより、前記ベースライン睡眠状態基準を使った前記睡眠セッション中の睡眠状態における検出された遷移と、前記睡眠セッション中の睡眠状態における遷移の前記参照指標との間の相関を向上させるよう前記ベースライン睡眠状態基準を調整する段階と；
前記ベースライン睡眠状態基準の調整後、調整されたベースライン睡眠状態基準を利用して、被験者の睡眠状態における遷移を前記一つまたは複数の物理的なコンピュータ・プロセッサにより検出し、前記一つまたは複数の感覚刺激器を制御する段階とを含む、
方法。
【請求項７】
前記一つまたは複数の物理的なコンピュータ・プロセッサにより、前記ベースライン睡眠状態基準の調整が、前記ベースライン睡眠状態基準を使った前記睡眠セッション中の睡眠状態における検出された遷移と、前記睡眠セッション中の睡眠状態における遷移の前記参照指標との間の相関を向上させたかどうかを示す、被験者における徐波活動に関係した性能メトリックを決定する段階をさらに含む、請求項６記載の方法。
【請求項８】
前記性能メトリックが累積徐波活動である、請求項７記載の方法。
【請求項９】
決定システムにより睡眠セッション中に被験者に送達される感覚刺激のタイミングを決定する方法であって、前記感覚刺激は、前記睡眠セッション中に被験者において徐波活動を増し、覚醒を最小化するよう構成され、前記システムは、一つまたは複数の感覚刺激器、一つまたは複数のセンサーおよび一つまたは複数の物理的なコンピュータ・プロセッサを有し、当該方法は：
前記一つまたは複数のセンサーにより、被験者の脳活動に関係した情報を伝達する出力信号を生成する段階と；
前記一つまたは複数の物理的なコンピュータ・プロセッサにより、前記出力信号およびベースライン睡眠状態基準に基づいて前記睡眠セッション中の被験者の睡眠状態における遷移を検出する段階と；
前記一つまたは複数の物理的なコンピュータ・プロセッサにより、睡眠状態における検出された遷移に基づくタイミングをもって被験者に前記感覚刺激を与えるよう前記一つまたは複数の感覚刺激器を制御する段階と；
前記睡眠セッション後に、前記一つまたは複数の物理的なコンピュータ・プロセッサにより、睡眠状態における遷移の参照指標を取得する段階であって、睡眠状態における遷移の前記参照指標は前記睡眠セッション中に生成された前記出力信号の解析に基づいて生成される、段階と；
前記一つまたは複数の物理的なコンピュータ・プロセッサにより、睡眠状態における検出された遷移を、睡眠状態における遷移の前記参照指標と比較する段階と；
該比較に基づいて、前記一つまたは複数の物理的なコンピュータ・プロセッサにより、前記ベースライン睡眠状態基準を使った前記睡眠セッション中の睡眠状態における検出された遷移と、前記睡眠セッション中の睡眠状態における遷移の前記参照指標との間の相関を向上させるよう前記ベースライン睡眠状態基準を調整する段階と；
前記ベースライン睡眠状態基準の調整後、調整されたベースライン睡眠状態基準を利用して、被験者の睡眠状態における遷移を前記一つまたは複数の物理的なコンピュータ・プロセッサにより検出し、前記一つまたは複数の感覚刺激器を制御する段階と；
前記一つまたは複数の物理的なコンピュータ・プロセッサにより、前記ベースライン睡眠状態基準の調整が、前記ベースライン睡眠状態基準を使った前記睡眠セッション中の睡眠状態における検出された遷移と、前記睡眠セッション中の睡眠状態における遷移の前記参照指標との間の相関を向上させたかどうかを示す、被験者における徐波活動に関係した性能メトリックを決定する段階を含み、
前記性能メトリックが累積徐波活動であり、前記累積徐波活動が、所定数の睡眠サイクルにわたる個々のN2および／またはN3睡眠段階時期についてのデルタ帯域におけるEEGパワーの総和である、
方法。
【請求項１０】
前記ベースライン睡眠状態基準の調整が、前記累積徐波活動の勾配の経験的推定に基づく、請求項８記載の方法。
【請求項１１】
睡眠セッション中に被験者に送達される感覚刺激のタイミングを決定するよう構成されたシステムであって、前記感覚刺激は、前記睡眠セッション中に被験者において徐波活動を増し、覚醒を最小化するよう構成され、当該システムは：
被験者に感覚刺激を与える手段；
被験者の脳活動に関係した情報を伝達する出力信号を生成する手段；
前記出力信号およびベースライン睡眠状態基準に基づいて前記睡眠セッション中の被験者の睡眠状態における遷移を検出する手段であって、前記ベースライン睡眠状態基準は、被験者の脳活動に関係した前記情報に基づいて決定された一つまたは複数の対応するパラメータについての一つまたは複数の閾値を含む、手段；
睡眠状態における検出された遷移に基づくタイミングをもって被験者に前記感覚刺激を与えるよう前記感覚刺激を与える手段を制御する手段；
前記睡眠セッション後に、前記睡眠セッション中に生成された前記出力信号の解析に基づいて生成される、睡眠状態における遷移の参照指標を取得する手段；
睡眠状態における検出された遷移を、睡眠状態における遷移の前記参照指標と比較する手段；
該比較に基づいて、前記ベースライン睡眠状態基準を使った前記睡眠セッション中の睡眠状態における検出された遷移と、前記睡眠セッション中の睡眠状態における遷移の前記参照指標との間の相関を向上させるよう前記ベースライン睡眠状態基準を調整する手段；ならびに
前記ベースライン睡眠状態基準の調整後、調整されたベースライン睡眠状態基準を利用して、被験者の睡眠状態における遷移を検出し、前記一つまたは複数の感覚刺激器を制御する手段を有する
システム。
【請求項１２】
前記ベースライン睡眠状態基準の調整が、前記ベースライン睡眠状態基準を使った前記睡眠セッション中の睡眠状態における検出された遷移と、前記睡眠セッション中の睡眠状態における遷移の前記参照指標との間の相関を向上させたかどうかを示す、被験者における徐波活動に関係した性能メトリックを決定する手段をさらに有する、請求項１１記載のシステム。
【請求項１３】
前記性能メトリックを決定する手段が、前記性能メトリックが累積徐波活動であるよう構成されている、請求項１２記載のシステム。
【請求項１４】
睡眠セッション中に被験者に送達される感覚刺激のタイミングを決定するよう構成されたシステムであって、前記感覚刺激は、前記睡眠セッション中に被験者において徐波活動を増し、覚醒を最小化するよう構成され、当該システムは：
被験者に感覚刺激を与える手段；
被験者の脳活動に関係した情報を伝達する出力信号を生成する手段；
前記出力信号およびベースライン睡眠状態基準に基づいて前記睡眠セッション中の被験者の睡眠状態における遷移を検出する手段；
睡眠状態における検出された遷移に基づくタイミングをもって被験者に前記感覚刺激を与えるよう前記感覚刺激を与える手段を制御する手段；
前記睡眠セッション後に、前記睡眠セッション中に生成された前記出力信号の解析に基づいて生成される、睡眠状態における遷移の参照指標を取得する手段；
睡眠状態における検出された遷移を、睡眠状態における遷移の前記参照指標と比較する手段；
該比較に基づいて、前記ベースライン睡眠状態基準を使った前記睡眠セッション中の睡眠状態における検出された遷移と、前記睡眠セッション中の睡眠状態における遷移の前記参照指標との間の相関を向上させるよう前記ベースライン睡眠状態基準を調整する手段；
前記ベースライン睡眠状態基準の調整後、調整されたベースライン睡眠状態基準を利用して、被験者の睡眠状態における遷移を検出し、前記一つまたは複数の感覚刺激器を制御する手段；ならびに
前記ベースライン睡眠状態基準の調整が、前記ベースライン睡眠状態基準を使った前記睡眠セッション中の睡眠状態における検出された遷移と、前記睡眠セッション中の睡眠状態における遷移の前記参照指標との間の相関を向上させたかどうかを示す徐波活動に関係した性能メトリックを決定する手段を有しており、
前記性能メトリックが累積徐波活動であり、前記累積徐波活動が、所定数の睡眠サイクルにわたる個々のN2および／またはN3睡眠段階時期についてのデルタ帯域におけるEEGパワーの総和である、
システム。
【請求項１５】
前記調整する手段が、前記ベースライン睡眠状態基準の調整が、前記累積徐波活動の勾配の経験的推定に基づくよう構成されている、請求項１３記載のシステム。